(57)【特許請求の範囲】
【請求項１】
基材層と熱接着性樹脂層を備えた積層体からなり合掌熱接着部と端縁熱接着部により形成された包装袋であって、合掌熱接着部を包装袋の外面に接するように折り曲げた際に上側となる合掌熱接着部の端縁を所定寸法だけ外方に延出させて合掌部延出片を形成し、前記合掌部延出片と対向する包装袋の背面を構成する積層体の外面に背面粘着剤層を形成するとともに、包装袋の端縁を合掌熱接着部と直交する方向に折り曲げた際に前記背面粘着剤層と対向する包装袋の正面を構成する積層体の外面に正面粘着剤層を形成した構成からなることを特徴とする包装袋。
【請求項２】
前記合掌熱接着部の外端に沿って前記合掌部延出片に合掌熱接着部と平行な切目線が形成された構成からなることを特徴とする請求項１記載の包装袋。
【請求項３】
前記合掌部延出片の外端に切欠もしくは多数の傷痕が形成された構成からなることを特徴とする請求項１または２に記載の包装袋。
【請求項４】
基材層と熱接着性樹脂層を備えた積層体からなり合掌熱接着部と端縁熱接着部により形成された包装袋であって、合掌熱接着部を包装袋の外面に接するように折り曲げた際に上側となる合掌熱接着部の端縁を所定寸法だけ外方に延出させて合掌部延出片を形成し、前記合掌部延出片を構成する積層体の内面に背面粘着剤層を形成するとともに、前記合掌部延出片を反対側に折り返して包装袋の端縁を合掌熱接着部と直交する方向に折り曲げた際に前記背面粘着剤層と対向する包装袋の正面を構成する積層体の外面に正面粘着剤層を形成した構成からなることを特徴とする包装袋。
【発明の詳細な説明】
【０００１】
【発明の属する技術分野】
本発明は、開封して内容物を取り出した後に、取り出し口を折り曲げることにより再封することのできるピロータイプの包装袋に関する。
【０００２】
【従来の技術】
従来、内容物を小出し使用するのに便利なように開封部を再封できるようにしたプラスチックフィルムからなる包装袋としては、開封される口部にプラスチック製のファスナーを取り付けた構成のものが知られているが、ファスナーを取り付けた構成の再封できる包装袋は、ファスナーのコストが付加される上にファスナーをプラスチックフィルムに熱接着して取り付ける工程が煩雑でありコストアップになるという欠点がある。
【０００３】
また、ファスナーを使用せずに、開封した口部を粘着剤を使用して再封できるようにした包装袋としては、実開平６−６５２４１号に示されているような、包装袋の外面に粘着剤層を設け粘着剤層面に離型紙を貼着したもの、ないしは特開平８−２０７９４０号に示されているような、再封テープを包装袋の外面に剥離可能に貼着したもの等が知られているが、前者の包装袋では粘着剤層及び離型紙を設ける領域および位置を再封する際の包装袋に残っている内容物の量に適応するように設けるのが困難であるし、後者の包装袋では再封する際に再封テープをいちいち剥がして貼りつける手間がかかるという欠点がある。また、包装袋の取扱中に、粘着剤層面に貼られた離型紙が剥離したり、再封シールが脱落したりするおそれがあるという欠点を有している。
【０００４】
【発明が解決しようとする課題】
本発明の目的は、包装袋を開封して内容物を取り出した後に、開封した包装袋の開口部を巻くように折り曲げるだけで折り曲げ部を接着させて簡単に再封することができるピロータイプの包装袋を提供することである。
【０００５】
【課題を解決するための手段】
基材層と熱接着性樹脂層を備えた積層体からなり合掌熱接着部と端縁熱接着部により形成された包装袋であって、合掌熱接着部を包装袋の外面に接するように折り曲げた際に上側となる合掌熱接着部の端縁を所定寸法だけ外方に延出させて合掌部延出片を形成し、合掌部延出片と対向する包装袋の背面を構成する積層体の外面に背面粘着剤層を形成するとともに、包装袋の端縁を合掌熱接着部と直交する方向に折り曲げた際に背面粘着剤層と対向する包装袋の正面を構成する積層体の外面に正面粘着剤層を形成した構成とすることにより、包装袋を開封して内容物を取り出した後に、包装袋の開口部の近傍の合掌部延出片の上部を切目線に沿って切り取って背面粘着剤層を露出させてから、包装袋の開口部を巻くように折り曲げるだけで背面粘着剤層と正面粘着剤層が接着して折り曲げた開口部を簡単に再封することができる。
【０００６】
上記の包装袋において、合掌熱接着部の外端に沿って合掌部延出片に合掌熱接着部と平行な切目線が形成された構成とすることにより、切目線に沿って合掌部延出片を切り取って再封するのに必要な領域に簡単に背面粘着剤層を露出させることができる。
【０００７】
上記の包装袋において、合掌部延出片の外端に切欠もしくは多数の傷痕が形成された構成とすることにより、切欠もしくは傷痕の箇所から合掌部延出片を合掌熱接着部と直角方向に引き裂き、次いで切目線に沿って上方に引き裂くことにより、合掌部延出片を切り取って再封するのに必要な領域に簡単に背面粘着剤層を露出させることができる。
【０００８】
基材層と熱接着性樹脂層を備えた積層体からなり合掌熱接着部と端縁熱接着部により形成された包装袋であって、合掌熱接着部を包装袋の外面に接するように折り曲げた際に上側となる合掌熱接着部の端縁を所定寸法だけ外方に延出させて合掌部延出片を形成し、合掌部延出片を構成する積層体の内面に背面粘着剤層を形成するとともに、合掌部延出片を反対側に折り返して包装袋の端縁を合掌熱接着部と直交する方向に折り曲げた際にした状態で背面粘着剤層と対向する包装袋の正面を構成する積層体の外面に正面粘着剤層を形成した構成とすることにより、包装袋を開封して内容物を取り出した後に、合掌部延出片を反対側に折り返して背面粘着剤層を露出させた状態で、開口部を巻くように折り曲げることにより背面粘着剤層と正面粘着剤層が接着して折り曲げた開口部を簡単に再封することができる。
【０００９】
【発明の実施の形態】
以下、図面を引用して本発明の実施の形態を説明する。
図１は本発明の第１実施形態を示す斜視図、図２は図１におけるＩ−Ｉ断面図、図３は第１実施形態の包装袋を開封した後に合掌部延出片を部分的に切り取って背面粘着剤層を露出させた状態の斜視図、図４は第１実施形態の包装袋を図３に示す状態から開口部を背面粘着剤層が内側にくるように折り曲げて再封した状態の斜視図、図５は本発明の第２実施形態を示す斜視図、図６は図５におけるII−II断面図、図７は第２実施形態の包装袋を開封した後に合掌熱接着部を反対側に折り返して背面粘着剤層を露出させた状態の斜視図、図８は第２実施形態の包装袋を図７に示す状態から開口部を背面粘着剤層が内側にくるように折り曲げて再封した状態の斜視図であって、２は合掌熱接着部、３，４は端縁熱接着部、５はガセット折込部、６は合掌部延出片、７は背面粘着剤層、7'は正面粘着剤層、８は切目線、９, 9', 9"は切欠、10は積層体、11は折り曲げ部、ａは正面、ｂは背面をそれぞれを表す。
【００１０】
本発明の第１実施形態は図１、図２に示すとおりである。背面側の形状は、図１に示すように、基材層と熱接着性樹脂層を備えた積層体10からなり合掌熱接着部２と上部の端縁熱接着部３と下部の端縁熱接着部４により形成され、側端にガセット折込部５を備えたガセットピロータイプ袋であって、合掌熱接着部２を背面ｂに沿うように折り曲げた際に合掌熱接着部２の上側となる端縁を所定寸法だけ外方へ延出させて合掌部延出片６が形成されており、合掌部延出片６に対向する包装袋の背面ｂを構成する積層体10の外面に背面粘着剤層７が形成されるとともに、背面粘着剤層７と対向する包装袋の正面ａを構成する積層体10の外面に正面粘着剤層7'が形成されており、合掌熱接着部２の外端に沿って合掌部延出片６に切目線８が形成され、合掌部延出片６の外端には複数の切欠９,9',9"が形成されている構成からなる。第１実施形態において、切欠９,9',9"に代えて合掌部延出片６の外端に沿って多数の傷痕を形成した構成としてもよい。第１実施形態における切目線８は、積層体10を構成する基材層を貫通する直線状の切目ないしは積層体10を貫通する破線状の切目により形成される。
【００１１】
本発明の第１実施形態の背面粘着剤層７及び正面粘着剤層7'が形成された部分の合掌熱接着部２と直角方向の断面構成は、図２に示すとおりであり、包装袋の背面ｂに沿うように折り曲げられた状態で合掌熱接着部２の上側となる端縁を所定寸法だけ外方へ延出させて合掌部延出片６が形成されており、合掌部延出片６に対向する包装袋の背面ｂを構成する積層体10の外面に背面粘着剤層７が形成されるとともに、背面粘着剤層７と対向する包装袋の正面ａを構成する積層体10の外面に正面粘着剤層7'が形成されている構成である。包装袋の背面ｂの積層体10の外面に設けられた背面粘着剤層７は合掌部延出片６にて完全に被覆されており包装袋の表面に露出しない状態となっている。したがって、第１実施形態の包装袋を保管・輸送する際に、包装袋に内容物を充填する際に、充填した包装体を保管・輸送・販売する際に、包装袋の背面粘着剤層７と正面粘着剤層7'が接着することはない。
【００１２】
第１実施形態の包装袋の上部の端縁熱接着部３の箇所を開封し内容物を取り出した後に、開口部を再封する方法は、図３に示すように、切欠９の箇所から合掌部延出片６を合掌熱接着部２と直角方向に引き裂き、裂け目が切目線８に達した時点で切目線８に沿って上方の開口部側に引き裂いて、合掌部延出片６を部分的に切り取って除去することにより開口部の近傍に背面粘着剤層７を露出させる。包装袋の開口部に背面粘着剤層７を露出させた状態で、開口部の両側のガセット折込部５を内側に折り込んで開口部を塞ぎ、塞いだ開口部を巻くようにして折り曲げることにより、折り曲げ部11にて背面粘着剤層７と正面粘着剤層7'が接着して、図４に示すように、開口部を再封することができる。内容物がより少なくなった場合は、より下側に形成されている切欠9'又は切欠9"の箇所から合掌部延出片６を切り取って背面粘着剤層７を露出させて、開口部を折り曲げることにより残存している内容物の量に応じて開口部を再封することができる。
【００１３】
本発明の第１実施形態の包装袋では、包装袋の背面ｂの外面に形成された背面粘着剤層７の全体が合掌部延出片６により被覆されているので、包装袋の取扱時に背面粘着剤層７と正面粘着剤層7'が接触して包装袋が接着してしまうことがない。そして、包装袋を開封して内容物を取り出した後に残った内容物を保管する際には、背面接着剤層７を被覆している合掌部延出片６を切欠9 , 9', 9"の箇所から任意の長さで切り取って背面粘着剤層７を露出させることができるので、開封した包装袋の開口部を巻くように折り曲げることにより、背面粘着剤層７と正面粘着剤層7'が接着して開口部を再封することができる。また、内容物の量がより少なくなった場合は、下側に形成されている切欠9'又は切欠9"の箇所から合掌部延出片６を切り取って背面粘着剤層７を露出させることができるので、残存している内容物の量に応じて開口部を再封することができる。
【００１４】
本発明の第２実施形態は図５、図６に示すとおりである。包装袋の背面側の形状は、図５に示すとおりであって、合掌熱接着部２と上部の端縁熱接着部３と下部の端縁熱接着部４と側端のガセット折込部５を備えたガセットピロータイプ袋であって、合掌熱接着部２が包装袋の左右方向の中央部よりも側端寄りの位置に形成され、合掌熱接着部２の上側の端縁に外方へ延出させた合掌部延出片６が形成され、合掌部延出片６を構成する積層体10の内面に背面粘着剤層７が形成されるとともに、合掌部延出片６を反対側に折り返した状態で背面粘着剤層７と対向する包装袋の正面ａを構成する積層体10の外面に正面粘着剤層7'が形成されている構成である。
【００１５】
本発明の第２実施形態の合掌熱接着部２と直角方向の断面形状は、図６に示すとおりであり、包装袋の外面に接するように折り曲げられた合掌熱接着部２の上側となる端縁を外方へ延出させて合掌部延出片６が形成され、合掌部延出片６を構成する積層体10の内面に背面粘着剤層７が形成されるとともに、合掌部延出片６を反対側に折り返した状態で背面粘着剤層７と対向する包装袋の正面ａを構成する積層体10の外面に正面粘着剤層7'が形成されている構成である。第２実施形態においても、背面粘着剤層７が合掌部延出片６を構成する積層体10の内面に形成されており表面に露出しない状態となっているので、第１実施形態と同様に、包装袋及び内容物を充填した包装体を取り扱う際に、包装袋の背面粘着剤層７と正面粘着剤層7'が接着することがなく支障をきたすことがない。
【００１６】
第２実施形態の包装袋の上部の端縁熱接着部３の箇所を開封し内容物を取り出した後に、合掌熱接着部２を反対側に折り返して合掌部延出片６を構成する積層体10の内面に形成されている背面粘着剤層７を露出させることにより、露出した背面粘着剤層７が包装袋の正面ａを構成する積層体10に形成されている正面粘着剤層7'と対向する図７に示す状態となる。図７に示す状態から、包装袋の開口部を閉じて巻くように折り曲げることにより、図８に示すように、包装袋の折り曲げ部11において背面粘着剤層７と正面粘着剤層7'が接着して開口部を再封することができる。
【００１７】
本発明の包装袋は、背面粘着剤層７の全体が合掌部延出片６により被覆されており露出しないので、包装袋の正面ａに形成された正面粘着剤層7'が露出した状態となっておっても、背面粘着剤層７と正面粘着剤層7'が接触して接着してしまうことがないので、包装袋の輸送、保管、取扱時に包装袋同志が接着して支障をきたすことがない。また、正面粘着剤層7'は露出した状態となっているが、背面粘着剤層７及び正面粘着剤層7'を形成する粘着剤組成物として自着性粘着剤組成物を使用しているので、粘着剤層が他の面に接着するのを防止している。第１、第２実施形態では包装袋の形状を、ガセット折込部を備えたガセットピロータイプ袋としているが、ガセット折込部を有しないフラットなピロータイプ袋とすることもできる。
【００１８】
第１、第２実施形態の包装袋の背面粘着剤層及び正面粘着剤層を形成する粘着剤としては、被着体への接着力が弱く、粘着層同志の自着力、特に保持力に優れた自着性粘着剤が使用できる。例えば、特公平７−１１３１０３号公報に記載されているような、モノビニル置換芳香族化合物と共役ジエン化合物のブロック共重合体からなるベースポリマ、及びアルカリ土類金属からなる樹脂配位のキレート化合物を成分とする自着性粘着剤、特開平１０−２８７８５８号公報に記載されているような、モノビニル置換芳香族化合物と共役ジエン化合物のブロック共重合体からなるベースポリマー、粘着付与剤、及び２個以上のイソシアネート基を有する多官能イソシアネート系化合物を少なくとも成分とする自着性粘着剤等が好適に使用できる。背面粘着剤層の厚さとしては３〜１０ｇ／ｍ2 が好ましく、正面粘着剤層の厚さとしては０．５〜３ｇ／ｍ2 が好ましい。上記の自着性粘着剤を使用することにより、連続した積層体の外面の所定箇所に背面粘着剤層及び正面粘着剤層を形成してロール状に巻き上げた場合でも、背面粘着剤層及び正面粘着剤層が他の面に接着することがないので積層体の作製工程及び包装袋の作製工程が容易となるものである。
【００１９】
第１実施形態の包装袋を製造する方法は、２軸延伸ポリエチレンテレフタレート等の基材層の一方の面に絵柄を印刷し、印刷面にポリエチレン、ポリプロピレン等からなる熱接着性樹脂層を押出ラミネーション、ドライラミネーションにより積層して連続した積層体を作製した後に、作製した積層体の基材層の外面の積層体の流れ方向に平行な所定位置に印刷絵柄と見当を合わせて所定幅の帯状にグラビア印刷等により粘着剤組成物を塗布して乾燥させることにより、積層体の流れ方向の所定位置に流れ方向に連続した所定幅の背面粘着剤層及び正面粘着剤層を形成された積層体を作製することができる。この積層体を所定幅にスリットし、ピロータイプ包装機にかけて、積層体の側端の一方の端縁を外方に延出させた状態で合掌熱接着部を形成することにより合掌部延出片を備えた合掌熱接着部を有するピロータイプ袋を作製することができる。作製されたピロータイプ袋は合掌部延出片が背面粘着剤層を被覆した構成となる。
【００２０】
第２実施形態の包装袋を製造する方法は、第１実施形態と同様にして積層体を作製した後に、積層体の基材層の外面に正面粘着剤層を、又積層体の熱接着性樹脂層の内面に背面粘着剤層を、積層体の流れ方向に平行な所定位置に印刷絵柄と見当を合わせて所定幅の帯状にグラビア印刷等により粘着剤組成物を塗布して乾燥させることにより、積層体の流れ方向の所定位置に流れ方向に連続した所定幅の背面粘着剤層及び正面粘着剤層を形成した積層体を作製することができる。この積層体を所定幅にスリットし、ピロータイプ包装機にかけて、合掌熱接着部の位置を包装袋の側端寄りにくるようにして、正面粘着剤層が形成された側端を合掌熱接着部から外方に延出するように、第１実施形態と同様にピロータイプ袋を作製することにより、第２実施形態の包装袋を作製することができる。
【００２１】
実施形態の包装袋を構成する積層体は基材層と熱接着性樹脂層を備えた構成からなる。基材層としては、２軸延伸ポリエチレンテレフタレート（ＰＥＴ）、２軸延伸ポリプロピレン（ＯＰＰ）等の単体、ないしはそれらとアルミニウム箔（ＡＬ）、アルミニウム蒸着２軸延伸ポリエチレンテレフタレート（ＶＭＰＥＴ）等と積層したものが使用できる。熱接着性樹脂層としては、低密度ポリエチレン（ＬＤＰＥ）、線状低密度ポリエチレン（ＬＬＤＰＥ）、エチレン−酢酸ビニル共重合体（ＥＶＡ）、未延伸ポリプロピレン（ＣＰＰ）、アルミニウム蒸着線状低密度ポリエチレン（ＶＭＬＬＤＰＥ）、アルミニウム蒸着未延伸ポリプロピレン（ＶＭＣＰＰ）等が使用できる。フィルムを積層する方法としては、ポリエチレン等による押出ラミネーション（ＥＣ）又はウレタン系接着剤を使用したドライラミネーション（ＤＬ）が使用できる。
【００２２】
積層体の構成としては、特に制限はないが、例えば、ＰＥＴ／ＣＰＰ、ＰＥＴ／ＬＬＤＰＥ、ＰＥＴ／ＶＭＬＬＤＰＥ、ＰＥＴ／ＶＭＰＥＴ／ＬＬＤＰＥ、ＰＥＴ／ＶＭＰＥＴ／ＣＰＰ、ＰＥＴ／ＶＭＣＰＰ、ＯＰＰ／ＣＰＰ、ＯＰＰ／ＬＬＤＰＥ、ＯＰＰ／ＶＭＣＰＰ、ＯＰＰ／ＶＭＬＬＤＰＥ、ＰＥＴ／ＡＬ／ＣＰＰ、ＰＥＴ／ＡＬ／ＬＬＤＰＥ等が好適に使用できる。
【００２３】
【発明の効果】
本発明の包装袋では、包装袋を開封して内容物を取り出した後に、合掌部延出片を切り取り合掌部延出片と対向する包装袋の背面の外面に形成されている背面粘着剤層を露出させるか、又は合掌部延出片を反対側に折り返して合掌部延出片の内面に形成されている背面粘着剤層を露出させてから、開口部を閉じて巻くように折り曲げることにより、折り曲げ部にて背面粘着剤層と正面粘着剤層が接着されて開口部を簡単に再封することができるので、内容物を小出しして使用する用途の包装袋としてきわめて便利である。また、本発明の包装袋では、背面粘着剤層が合掌部延出片にて被覆された状態であり表面に露出しないので、包装袋の保管、輸送、取扱時において背面粘着剤層と正面粘着剤層とが接着することがないとともに、露出している正面粘着剤層が他の面に接着することがないので通常の包装袋と同様に取扱うことができる。
【図面の簡単な説明】
【図１】本発明の第１実施形態を示す斜視図。
【図２】図１におけるＩ−Ｉ断面図。
【図３】第１実施形態の包装袋を開封した後に合掌部延出片を部分的に切り取って背面粘着剤層を露出させた状態の斜視図。
【図４】第１実施形態の包装袋を図３に示す状態から開口部を背面粘着剤層が内側にくるように折り曲げて再封した状態の斜視図。
【図５】本発明の第２実施形態を示す斜視図。
【図６】図５におけるII−II断面図。
【図７】第２実施形態の包装袋を開封した後に合掌熱接着部を反対側に折り返して背面粘着剤層を露出させた状態の斜視図。
【図８】第２実施形態の包装袋を図７に示す状態から開口部を背面粘着剤層が内側にくるように折り曲げて再封した状態の斜視図。
【符号の説明】
２  合掌熱接着部
３，４  端縁熱接着部
５  ガセット折込部
６  合掌部延出片
７  背面粘着剤層
7'  正面粘着剤層
８  切目線
９, 9', 9"  切欠
10  積層体
11  折り曲げ部
ａ  正面
ｂ  背面
【図１】
0003923806.tif 000002
【図２】
0003923806.tif 000003
【図３】
0003923806.tif 000004
【図４】
0003923806.tif 000005
【図５】
0003923806.tif 000006
【図６】
0003923806.tif 000007
【図７】
0003923806.tif 000008
【図８】
0003923806.tif 000009